(57)【特許請求の範囲】
【請求項１】
ノート式情報処理装置であって、
重ねられた状態でぺージ開き可能に結合された、複数枚の、シート状の平面デイスプレイと、
前記複数の平面ディスプレイのカバーを兼ねる座標入力装置であって、１枚以上の前記平面ディスプレイを介して手書き入力受け付け付け可能な入力面を、当該複数の平面ディスプレイ側に有する座標入力装置と、
固有の共振周波数を有する手書き入力を行うための入力手段と、
前記複数の平画ディスプレイに設けられた、固有の共振周波数を有する位置指示器と、
前記カバーの開閉を検知するカバー開閉検知手段と、
を有し、
前記座標入力装置は、
前記入力手段固有の共振周波数と前記位置指示器固有の共振周波数とを検知し、
当該ノート式情報処理装置は、
前記カバー開閉検知手段の検知出力に応じて、当該ノート式情報処理装置の電源をオンオフする、ことを特徴とするノート式情報処理装置。
【請求項２】
請求項１記載のノート式情報処理装置において、
前記入力手段固有の共振周波数と前記位置指示器固有の共振周波数とが異なる、ことを特徴とするノート式情報処理装置。
【請求項３】
ノート式情報処理装置であって、
重ねられた状態でぺージ開き可能に結合された、複数の、シート状の平面ディスプレイと、
前記複数の平面ディスプレイのカバーを兼ねる座標入力装置であって、１枚以上の前記平面ディスプレイを介して手書き入力受け付け可能な入力面を、当該複数の平面ディスプレイ側に有する座標入力装置と、
固有の共振周波数を有する手書き入力を行うためのスタイラスペンと、
を有し、
前記複数の平面ディスプレイは、
前記スタイラスペン固有の共振周波数とは異なる固有の共振周波数を有する位置指示器を有し、
前記座標入力装置は、前記スタイラスペン固有の共振周波数と前記位置指示器固有の共振周波数とを検知する、ことを特徴とするノート式情報処理装置。
【請求項４】
請求項１または３記載のノート式情報処理装置において、
前記位置指示器固有の共振周波数をもとに前記位置指示器の座標を前記座標入力装置で検知し、開かれている前記平面ディスプレイのぺージを検出する、
ことを特徴とするノート式情報処理装置。
【請求項５】
請求項１記載のノート式情報処理装置において、
平面ディスプレイの特定のページに対して特定のアプリケーションプログラムを対応付け、該特定のぺージが開かれたとき、自動的に当該アプリケーションプログラムを起動する、
ことを特徴とするノート式情報処理装置。
【請求項６】
請求項５記載のノート式情報処理装置において、
前記座標入力装置により、前記特定のぺージが閉じられたことが検知されると、前記特定のアプリケーションプログラムの実行を中断し、次の再開のために当該プログラムの実行状態を退避するプログラム退避手段と、
前記座標入力装置により、前記特定のページが開かれたことが検知されたとき、前記プログラム退避手段により退避された当該プログラム実行状熊を復帰するプログラム復帰処理手段と、
を有することを特徴とするノート式情報処理装置。
【請求項７】
請求項６記載のノート式情報処理装置において、
前記カバーが開かれた場合、ユーザの認証を行った後、上記プログラムを復帰することを特徴とするノート式情報処理装置。
【発明の詳細な説明】
【０００１】
【産業上の利用分野】
本発明は、平面ディスプレイのような平面表示デバイスを用いた情報処理装置に係り、特に複数の平面デイスプレイをノート式に重ねて用いる情報処理装置に関する。
【０００２】
【従来の技術】
液晶素子と座標入力装置とを一体化し、紙のような感覚の情報処理装置の従来例として、特開昭60-75980号公報、特開平3-214309号公報、英国特許公報GB2193827A、米国特許第4,730,186号に開示されたものがある。さらに液晶素子と座標入力装置との座標一致をとる従来例として、特開昭59-183428号公報（米国特許第4，646,073号）に開示のものがある。
【０００３】
また、複数のデイスプレイを用いた情報処理装置の従来例として、特開平2-127714号、特開平4-15717号、特開平4-15725号各公報に開示されているように２画面を有しそれぞれにタッチタブレットを張り合わせ、２画面で情報入力と出力を行ないマンマシン性を改良したもの、また、特開平4-278658号公報に示すように複数の両面表示できる液晶表示素子を重ねて一体化して、ページめくりができるようにし、本と同様な感覚で情報の全体が把握できるようにしたものがある。
【０００４】
【発明が解決しようとする課題】
上記従来技術は、１画面または２画面のデイスプレイと座標入力装置の入力表示一体化については考慮されているが、３画面（両面表示含む）以上の複数デイスプレイと座標入力装置の入力表示一体化については、低コスト化、薄型化に問題があるとともに、ページめくり等の使い勝手にも問題があった。即ち、座標入力装置のセンサと液晶のセンサをページ毎に設けて一体とし、シート化すると、シートが厚くなることによる厚型化やページめくりの困難さ、工程が増加することによるコスト増加となっていた。
【０００５】
デイスプレイ画面の利用方法もデイスプレイのページ数が少なかったため、１つのデイスプレイをマルチウインドウとして表示し、利用方法も本のようにただ表示内容を参照するのみか、メニューやアイコンを選択して必要な応用ソフトを起動するかの方法に留まっていた。即ち、複数ページのデイスプレイがあることによる有効な利用方法について、十分な考慮がなされていなかった。例えば、あるページを開ける動作をするのみでメールの送受信状態やスケデュールの画面がそのページに表示されたり、またあるページを開ける動作は以前に入力していたワープロ編集画面に復帰する等の考慮がされていなかった。さらに逆に動作として、表紙カバーの折り畳む動作を行なうと、自動的に今までのプログラムを退避し電源を自動的にオフするなどが考慮されていないため、ユーザは電源スイッチを切ったり、特定の手続きを行なうなどマンマシン性が悪かった。
【０００６】
また、従来例で両面表示を行なって多くの情報量を表示することが示されているが、具体的な両面表示の構造およびカラーシートの構造については開示されていなかった。
【０００７】
さらに、既に印刷された紙情報を取り込むためには、インタフェースを介して外部スキャナ装置から行なわなければならなかった。もし、情報処理装置自身にスキャナを内蔵すると機械的な構造を伴うため装置自身が大きくなり、ポータビリテイに問題があった。
【０００８】
そこで、本発明はこのような技術課題を解決するもので、その目的とするところは複数デイスプレイを用いた使い勝手のよいノート式情報処理装置を提供するにある。
【０００９】
【課題を解決するための手段】
本発明の第一の態様によれば、
ノート式情報処理装置であって、
重ねられた状態でぺージ開き可能に結合された、複数枚の、シート状の平面デイスプレイと、
前記複数の平面ディスプレイのカバーを兼ねる座標入力装置であって、１枚以上の前記平面ディスプレイを介して手書き入力受け付け付け可能な入力面を、当該複数の平面ディスプレイ側に有する座標入力装置と、
固有の共振周波数を有する手書き入力を行うための入力手段と、
前記複数の平画ディスプレイに設けられた、固有の共振周波数を有する位置指示器と、
前記カバーの開閉を検知するカバー開閉検知手段と、
を有し、
前記座標入力装置は、
前記入力手段固有の共振周波数と前記位置指示器固有の共振周波数とを検知し、
当該ノート式情報処理装置は、
前記カバー開閉検知手段の検知出力に応じて、当該ノート式情報処理装置の電源をオンオフする、ことを特徴とするノート式情報処理装置が提供される。
本発明の第二の態様によれば、
ノート式情報処理装置であって、
重ねられた状態でぺージ開き可能に結合された、複数の、シート状の平面ディスプレイと、
前記複数の平面ディスプレイのカバーを兼ねる座標入力装置であって、１枚以上の前記平面ディスプレイを介して手書き入力受け付け可能な入力面を、当該複数の平面ディスプレイ側に有する座標入力装置と、
固有の共振周波数を有する手書き入力を行うためのスタイラスペンと、
を有し、
前記複数の平面ディスプレイは、
前記スタイラスペン固有の共振周波数とは異なる固有の共振周波数を有する位置指示器を有し、
前記座標入力装置は、前記スタイラスペン固有の共振周波数と前記位置指示器固有の共振周波数とを検知する、
ことを特徴とするノート式情報処理装置が提供される。
【作用】
本発明の第一の態様によれば、手書き入力を受け付ける座標入力装置が、入力手段固有の共振周波数と位置指示器固有の共振周波数とを検知する。本発明の第二の態様によれば、手書き入力を受け付ける座標入力装置が、スタイラスペン固有の共振周波数と位置指示器固有の共振周波数とを検知する。
【実施例】
本実施例に係る、手書き入力を検出する座標入力装置と複数の平面ディスプレイを一体化したノート式情報処理装置は、シート状の平面ディスプレイを複数枚、ぺージ開き可能に相互に重ねて結合するとともに、該複数枚の平面ディスプレイに共通に1つの座標入力装置を設け、開かれた各ページの平面ディスプレイの表示面上で上記座標入力装置に対して座標入力可能としたものである。
【００１０】
好ましくは、上記座標入力装置は、上記複数枚の平面デイスプレイに対するカバーを兼ね、上記座標入力装置の入力面が上記カバーの内側に設けられる。
【００１１】
上記複数デイスプレイのカバー開閉を検知するカバー開閉検知手段を設け、該カバー開閉検知手段の検知出力に応じて装置の電源をオンオフするようにすることもできる。
【００１２】
現在開かれているページがどのページであるかを検知するページ位置検知手段を設け、特定のページに対して特定のアプリケーションプログラムを対応付け、該特定のページが開かれたとき、自動的に当該アプリケーションプログラムを起動するように構成することも可能である。
【００１３】
この場合、上記ページ位置検知手段により、上記特定のページが閉じられたことが検知されると、上記特定のアプリケーションプログラムの実行を中断し、次の再開のために当該プログラムの実行状態を退避するプログラム退避手段と、上記ページ位置検知手段により、上記特定のページが開かれたことが検知されたとき、上記プログラム対比手段により退避された当該プログラム実行状態を復帰するプログラム復帰処理手段とを設けることが好ましい。
【００１４】
また、上記カバーに、表示指示情報または表示情報を生成する手段と、該表示指示情報または表示情報をワイヤレスで上記複数の平面デイスプレイの少なくとも１枚に送信する手段とを設け、当該少なくとも１枚の平面ディスプレイに、上記表示指示情報または表示情報をワイヤレスで受信して表示する手段と、内蔵電池とを設け、上記カバーから取外し可能に構成することもできる。
【００１５】
カバーとして兼用する座標入力装置を、複数のデイスプレイで共用できるよう構成することにより、座標入力装置のスタイラスペンの座標はデイスプレイを貫通して検知できるため、数枚のデイスプレイを重ねても座標入力が可能である。ディスプレイを貫通して座標検知するものは、電磁式、静電式座標入力装置等が周知である。従って、座標入力装置を兼用することにより、情報処理装置の薄型化と低コスト化に貢献する。平面デイスプレイにプラスチック液晶を利用すると特に薄型になるため、紙のようにページめくりができ操作性が向上できる。
【００１６】
各ページにはそのページにユニークな座標を検出することでどのページが開いているかどうかを検知できる。このページ位置検知手段とプログラム退避、復帰手段とを対応付けると、開いたと同時にそのページで動作していたプログラムが復帰でき、直ちに必要な業務に取り掛かれる。これにより、業務効率が向上する。
【００１７】
さらに表紙カバーの開閉を検知する開閉検知手段と情報処理装置の電源オンオフならびにプログラム退避、復帰手段とを連動させることにより、表紙カバーを開くと同時に情報処理装置の電源がオンし、さらに所定の処理プログラムの起動、例えば、認証システムが起動されるようになる。
【００１８】
デイスプレイのシートは２枚の平面ディスプレイを張り合わせて両面表示を可能とするが、液晶の場合、その偏向フィルムのみでは反対側の液晶の表示内容と干渉を起こすため、その間に不透明のカラーシートを挿入して１枚のデイスプレイシートとした。これにより、お互いの表示による干渉をなくすと同時カラーシート（紙でもよい）を用いたことにより、色による処理プログラムの区別が可能で直観性が向上する。
【００１９】
さらに、ノート式情報処理装置自身に２次元面センサ式スキャナを搭載することにより、機械的な機構が存在しないため、紙情報を簡単に高速読取ができ、小型で持ち運びが可能となる。
【００２０】
本発明の一実施例を図１〜図７を用いて説明する。
【００２１】
図１は本発明の一実施例のシステム構成と外観図である。
【００２２】
本実施例では、オフイス環境で使用されることを前提に説明する。即ち、ネットワークＮＥＴには各種サーバＳＶ１，ＳＶ２が接続され、本発明のノート式情報処理装置ＷＫＮＴ１、ＷＫＮＴ２はそのクライアントに位置づけられる。なお、ネットワークＮＥＴに対しては、無線ネットワークＮＥＴ１，ＮＥＴ２、ワイヤレスターミナルＷＴ１，ＷＴ２を介して接続する。従って、オペレータは、オフイス内のどこにおいても自由にサーバ資源を有効に利用できかつ、高いポータビリテイを有する。勿論、ネットワークを利用せず単体の装置として使用しても良い。
【００２３】
さて、本発明のノート式情報処理装置ＷＫＮＴ１は、図１の外観に示すように複数枚の液晶デイスプレイシートＳＨＴ１，ＳＨＴ２，ＳＨＴ３（３枚を想定して説明するがこれ以上あってもよい）を有し、各シートには主に両面表示の液晶ＬＣＤ１，ＬＣＤ２，ＬＣＤ３とページ位置検出のための位置指示器Ｓ１，Ｓ２，Ｓ３がある。
【００２４】
一方、液晶デイスプレイシートＳＨＴ１，ＳＨＴ２，ＳＨＴ３以外の処理装置本体には主に、表紙カバーを兼ねた座標入力装置ＴＢ（本実地例では電磁式を利用）とスタイラスペンＰＥＮ、画面操作のための入力装置ＳＲＬ１，ＳＲＬ２（スクロール指示用），ＰＧＣ（ページ指示用）、さらに表紙カバーの開閉を検知するための位置指示器Ｐがある。
【００２５】
ノート式情報処理装置ＷＫＮＴ１は、ＷＫＮＴ２のように中央から二つに折り畳むことができ、持ち運びが容易な構造となっている。また、液晶デイスプレイシートＳＨＴ１，ＳＨＴ２，ＳＨＴ３はフィルム状の液晶を用いているため、本のようにページめくりができる。なお、フィルム状の液晶は最近の技術により容易に可能となっている（例えば、’９２．１２日経バイトの記事第１３０頁参照）。
【００２６】
次に、本発明の一実施例の動作概要、使用概要を以下説明する。
【００２７】
まず、ノート式情報処理装置ＷＫＮＴ１を開くと、カバーの開閉を位置指示器Ｐを用いて検知し、所定のプログラム（後述するが通常、パスワードやＩＤをＰＥＮで入力する認証プログラム等）が起動される。その後、その開かれたページにおいて前回処理していたプログラムを復帰し、動作表示する。
【００２８】
もし、他のページのめくり動作を行なうと、ページ位置検出用位置指示器Ｓ１〜Ｓ３の座標位置をページ位置検出手段で検知して、どのページが開閉されたかを判別する。そして、ページに対応してプログラムの退避＆復帰処理が行なわれる。即ち、閉じられたページについては、そのプログラム実行を中断して、再開のための退避処理を実行し、開かれたページについては中断していたプログラムの復帰処理を実行する。これにより、ユーザはページを開ける動作を行なうのみで直ちに必要な作業に直接入れることになり、マンマシン性を大幅に向上させることができる。
【００２９】
図１のＷＫＮＴ１のように、目的のページを開いてペンＰＥＮを操作すると、ペンＰＥＮ信号は、本実施例では電磁式ペンのため、液晶デイスプレイシートＳＨＴ１を貫通して表紙カバーに埋め込んである座標入力装置ＴＢで座標を検知することができる。この座標の検知に応じて、従来と同様、メニューやアイコン指定、さらに手書き入力を行なうことができる。液晶デイスプレイシートが複数枚あってもペンＰＥＮ信号はそれを貫通することができるため、座標検知が可能である。これにより、従来、デイスプレイ毎に座標入力装置を一体化していたことによる欠点を解消したノート式情報処理装置を実現できる。
【００３０】
ネットワークＮＥＴに接続されたサーバ（ＳＶ１，ＳＶ２）と通信するときは、無線ネットワークＮＥＴ１を用い、ワイヤレスターミナルＷＴ１を介して情報交換できる。同様にノート式情報処理装置間の通信もおこなうことも可能である。
【００３１】
次に、図２、図３を用いて、本発明の一実施例の構造を説明する。
【００３２】
図２は本発明の一実施例のノート式情報処理装置ＷＫＮＴ１の断面図である。前述のように、表紙カバーは座標入力装置ＴＢで構成されており、特に上部には２次元面位置センサＳＣと座標入力装置ＴＢのセンサの両方が一緒に内蔵してある。なお、２次元面センサＳＣは、ＣＣＤセンサと光源とレンズが一体になったもので、例えば、対向する液晶デイスプレイシートＳＨＴ３との間に原稿を挟んで読み取る。２次元面センサＳＣは、最近の液晶技術、ＣＣＤ技術、メモリ技術を組み合わせることにより、技術的に可能なレベルにある。
【００３３】
液晶デイスプレイシートは図のように複数枚を束ねて、ノートのように予め本体に綴じ込まれている。綴じ込み方法としては、取り外し可能なバインダー方式や閉じ穴方式さらに取り外し不可能な接着剤固定方式が考えられる。拡張性を考慮すると、取り外し可能な方式が望ましい。
【００３４】
本体と液晶デイスプレイシートとの接続は、図４で後述するように、本実施例ではコードレスで行なう。コードレスの方式として、無線電波による方式、赤外線等の光線による方式、電磁コイル方式が考えられる。どの方式を用いてもよい。
【００３５】
図３は液晶デイスプレイシートＳＨＴ１の構造図を示したものである。ＳＨＴ２，ＳＨＴ３も同じ構造を有する。液晶デイスプレイシートＳＨＴ１は両面表示を行なうため、２つの液晶ＬＣＤ１１，ＬＣＤ１２で不透明なカラーシートＣＬＲ１を挟んで構成している。通常、液晶デイスプレイは透明電極で液晶に電位を印加し、偏光板との位相差を利用して表示される。従って、２枚の液晶をただ重ねると反対側の像の影響が出てきてしまう。そのため、分離用の不透明なシートＣＬＲ１を液晶デイスプレイシートの間に置いている。
【００３６】
また、液晶デイスプレイシートＳＨＴ１には、ページ位置検出用位置指示器Ｓ１、シートの電源のための電池ＣＥＬＬ１１，ＣＥＬＬ１２、更に、デイスプレイシート制御用コントローラＳＨＴＣ１が搭載されている。電池ＣＥＬＬ１１，ＣＥＬＬ１２は光電池と２次電池を組み合わせたもので、デイスプレイ情報を表示するだけの電池容量を要している。なお、液晶デイスプレイシートＳＨＴ１の本体との接続に有線を利用すると本体より電源が供給できるためこの電池は不要となる。デイスプレイシート制御用コントローラＳＨＴＣ１はページめくりの容易性と信頼性の点より、綴じしろ付近に実装される。当然、コントローラＳＨＴＣ１も時計や電卓の実装方法で実現されているようにフイルム状のシートにマウントされる。
【００３７】
次に、ノート式情報処理装置ＷＫＮＴ１の具体的な機能のブロック構成を図４により説明する。
【００３８】
ノート式情報処理装置ＷＫＮＴ１は、大きく分けて、本体ＷＫＮＴと３枚の液晶デイスプレイシートＳＨＴ１，ＳＨＴ２，ＳＨＴ３のブロックより構成される。本体ＷＫＮＴと３枚の液晶デイスプレイシートＳＨＴ１，ＳＨＴ２，ＳＨＴ３間は前述のようにコードレスのネットワークＮ−ＳＨＴを介して情報のやり取りを行なっている。なお、液晶デイスプレイシートＳＨＴ１，ＳＨＴ２，ＳＨＴ３は各々シートコントローラＳＨＴＣ１（ＳＨＴＣ２，ＳＨＴＣ３は図示省略）を実装しているため、本体ＷＫＮＴとのデイスプレイ情報交換はインタフェース回路ＳＨＴ−Ｍ  Ｉ／Ｆ，ＳＨＴ１−Ｓ  Ｉ／Ｆを介して、コードデータにより行なう。
【００３９】
本体ＷＫＮＴは、ノート式情報処理装置ＷＫＮＴ１全体を制御するノートコントローラＷＫＮＴＣと周辺機器およびセンサで構成されている。周辺機器およびセンサには、カバー開閉検出用位置指示器Ｐ（この位置は図示の都合上、図１とは対応していない）、座標入力装置ＴＢ、スタイラスペンＰＥＮ、画面制御用センサ（ＳＲＬ１，ＳＲＬ２，ＰＧＣ）、２次元面センサＳＣがある。これらの周辺機器およびセンサの信号は、各インタフェース（ＴＢ Ｉ／Ｆ，ＰＡＧＥ Ｉ／Ｆ，ＳＣ Ｉ／Ｆ）を介してノートコントローラＷＫＮＴＣに取り込まれ、処理される。
【００４０】
ここで、ノートコントローラＷＫＮＴＣは最近のペンコンピュータと同等の処理能力と機能を有しているものとする。従って、マイクロプロセッサＭＰＵ−Ｍやメモリ（ＲＯＭ−Ｍ，ＲＡＭ−Ｍ）、外部とのインタフェースＷＴ Ｉ／Ｆ、電源ＰＷＲ等を有している。
【００４１】
液晶デイスプレイシートＳＨＴ１は、前述のようにシートコントローラＳＨＴＣ１と２枚の液晶ＬＣＤ１１，ＬＣＤ１２、ページ位置検出用位置指示器Ｓ１，Ｓ２，Ｓ３さらに、電池ＣＥＬＬ１のブロックで構成している。
【００４２】
シートコントローラＳＨＴＣ１は、文字や図形等のコードデータを画像情報に展開するための機能を有し、ノートコントローラＷＫＮＴＣと同様マイクロプロセッサＭＰＵＳ１やメモリ（ＲＯＭ−Ｓ１，ＲＡＭ−Ｓ１）、ＬＣＤとのインタフェースＬＣＤ１１ Ｉ／Ｆ、ＬＣＤ１２ Ｉ／Ｆ、さらに本体ＷＫＮＴとのインタフェースＳＨＴ−Ｓ Ｉ／Ｆがある。
【００４３】
さて、図４のノート式情報処理装置の動作及び操作概要を説明する。
【００４４】
まず、位置指示器Ｐ、位置指示器Ｓ１，Ｓ２，Ｓ３は、コイルとコンデンサ素子で構成し、この素子が特定の周波数に共振する物理現象利用することで座標の検知ができる。つまり、座標入力装置ＴＢは特定の周波数をＴＢのＸ，Ｙ軸センサに順次供給し、コンデンサ素子との共振によるインピーダンスの変化を利用して座標を検知する。同様の方法でスタイラスペンの座標も検知できる。このときスタイラスペンＰＥＮの共振周波数と、前述の位置指示器Ｐ，Ｓ１，Ｓ２，Ｓ３の共振周波数とは、お互いを識別するため、異なっている必要がある。
【００４５】
前記座標はインタフェースＴＢ Ｉ／Ｆを介して入力され、対応する処理がマイクロプロセッサＭＰＵ−Ｍにより行われる。一方、スタイラスペンＰＥＮを持つ手と反対側の手の操作は、画面制御用センサＳＲＬ１，ＳＲＬ２，ＰＧＣは、インタフェースＰＡＧＥ Ｉ／Ｆを介して入力され、液晶デイスプレイの画面スクロールやページ切り換え制御が行なわれる。なお、画面制御用センサＳＲＬ１，ＳＲＬ２，ＰＧＣとして、タッチセンサやボリュームを用いることも考えられる。画面スクロールおよびページ切り換え（このページは１画面内のページ）は、各液晶ディスプレイの表示画面上でソフト的な指示により行うことも可能であるが、本実施例のように、各液晶ディスプレイに共通の本体側にハードウエアとして設けることにより、空いている左手を有効に用いて操作を行うことができる。とくに、ぺージ切り換えについては、実際の本のページめくりの感覚で操作することができる。
【００４６】
具体的な使用方法として、例えば、センサにタッチセンサを使用すると、ページ切り換えセンサＰＧＣの位置状態、すなわち、中心位置より左座標位置ではページ送り動作を、右座標位置ではページ戻し動作を対応させる。座標値の大きさ（中心より離れると大）によって、ページ切り換えのスピードを変化させるようにしてもよい。センサに抵抗式のボリュームを使用して、その値の大きさに応じてページ切り換えのスピードを可変とすることもできる。また、ページ切り換えセンサＰＧＣを２個使用して、その一方をページ送り動作に、他方をページ戻し操作に対応させるようにすることもできる。
【００４７】
画面スクロール用のセンサＳＲＬ１，ＳＲＬ２についても、タッチセンサを用いると同様に、座標値の大きさにより、スクロール両を制御することができる。
【００４８】
このように両手を駆使してインタフェースできるのでマンマシン性を向上させることができる。
【００４９】
紙の原稿は、２次元面センサＳＣで読み込み、このデータをデイスプレイシート（ＳＨＴＣ１，ＳＨＴＣ２，ＳＨＴＣ３）に表示することができる。操作は次の通りとなる。原稿を２次元面センサＳＣ上におき、スキャナ駆動用のメニューもしくはアイコンをスタイラスペンで指示すると、スキャン開始を行ない、読み取られた画像から順次指示を行なったデイスプレイシートに表示される。当然、１次元センサを使用していたときと異なり、読取は瞬時に行なわれる。読み取られた画像は圧縮されメモリＲＡＭ−Ｍ格納し、必要に応じてネットワークＮＥＴに接続されたサーバ（図１のＳＶ１，ＳＶ２）、例えば、プリントサーバに送信することでプリントしたり、あるいは、ファクシミリサーバを利用して相手ファクシミリに原稿を送信することができる。このように、ノート式情報処理装置は、パーソナル情報機器として位置づけられるため、ネットワークを介したシステム利用を図ることでシステム資源の共用化とデータベースの有効利用を図ることができる。
【００５０】
図４に戻り、ノート式情報処理装置ＷＫＮＴ１で処理された情報をどのように液晶デイスプレイシートＳＨＴ１に表示するかを次に説明する。
【００５１】
情報の入力として、まず、座標入力装置ＴＢの手書きメモデータは座標データとしてＴＢ Ｉ／Ｆを介して取り込まれ、シートインタフェースＳＨＴ−Ｍ Ｉ／Ｆ、ＳＨＴ−Ｓ Ｉ／Ｆを介して液晶デイスプレイシートＳＨＴ１の液晶ＬＣＤ１１もしくはＬＣＤ１２に座標点の集まりとして表示される。
【００５２】
ノート式情報処理装置ＷＫＮＴ１本体で処理され、生成された文字や図形情報はそれを示すコードデータと表示する位置座標データを液晶デイスプレイシートＳＨＴ１へ送信する。液晶デイスプレイシートＳＨＴ１では、受信したコード情報と位置情報を解釈して文字フォントデータ（ＲＯＭ−Ｓ１に格納）や図形画像を表示用メモリ（ＲＡＭ−Ｓ１）に格納する。この表示用メモリを液晶表示インタフェースＬＣＤ１１  Ｉ／Ｆ  もしくはＬＣＤ１２  Ｉ／Ｆを介して周期的に液晶ＬＣＤ１１，ＬＣＤ１２に表示する。
【００５３】
２次元面センサＳＣで取り込まれた画像データは、圧縮（例えばファクシミリ用符号化方式ＭＲ圧縮）され、同様に液晶デイスプレイシートＳＨＴ１へ送信する。液晶デイスプレイシートＳＨＴ１では受信した画像データを伸張して表示用メモリに格納することで表示することができる。
【００５４】
さらに、上位システムからの各種情報は、無線ネットワークＮＥＴ１を通じインタフェースＷＴ  Ｉ／Ｆを介して取り込まれ、上記と同様に液晶デイスプレイシートＳＨＴ１へ送信し、液晶デイスプレイシートに表示することができる。
【００５５】
以上のように、本発明の一実施例のブロック構成では情報処理を主体に行なうコントローラＷＫＮＴＣと表示処理を主体におこなうコントローラＳＨＴＣ１〜ＳＨＴＣ３のマルチプロセッサ構成をとっている。これにより、処理性能の向上とインタフェースの簡単化および液晶デイスプレイシートの独立による柔軟性の効果を有している。例えば、本発明の他の実施例として、液晶デイスプレイシートを切り離しオフィスのパーテションの前面にクリップで止め、表示することもできる。この際、ノート式情報処理装置本体よりデータ通信し、表示を変更することができる。ただし、座標入力装置ＴＢと分離されるので、画面を直接指示することはできなくなる。
【００５６】
次に、本実施例の特徴である複数枚の液晶デイスプレイシートのページ位置検出の方法と入力表示の座標一致方法を図５を用いて説明する。
【００５７】
図５において、カバー座標入力装置ＴＢは１つの座標系となっており、特にセンタ座標ｘｃにおいてフレキブルな構造になっており、二つに折り畳めるようになっている。勿論、物理的に異なる２つの座標入力装置を用いて、論理的に１つの座標入力装置としても良い。各シートの位置指示器Ｓ１〜Ｓ３は、それぞれ各ページの縁の固有のｙ座標位置に設けられている。位置指示器Ｐは、カバーの裏表紙側に設けられている。前述のように、この４つの位置指示器は同一の周波数に共振するようになっている。座標入力装置ＴＢはこの４箇所の座標を検出することができる。この座標値の有無と位置関係により、表紙カバーが開いているかどうか、また、どのページが開いているかが容易に判定できる。特定のページを開いた状態で、シートＳＨＴ１〜ＳＨＴ３の位置指示器Ｓ１〜Ｓ３の座標をそれぞれＳ１（ｘ１，ｙ１），Ｓ２（ｘ２，ｙ２），Ｓ３（ｘ３，ｙ３）とする。これらの各々の座標がｘ軸中心座標ｘｃの左右いずれ側にあるかにより開いたページを認識することができる。また、位置指示器Ｐの座標のｘ軸反転座標Ｐ’を（ｘ４，ｙ４）とする。位置指示器Ｐについて、表表紙側の対向位置Ｐ′で座標が検出されたとき、カバーが閉じられたと判断することができる。
【００５８】
具体的には図６の方法で判定を行なう。各位置指示器のｙ軸座標は物理的に固定されている（ほぼ同一である）ため、各位置指示器のｘ軸座標位置により判別できる。ここで、液晶デイスプレイシートは３枚あるため、ページ番号は左から数えてＰ１〜Ｐ６とする。図６において、カバーおよび各ページが開いているか否かは、条件１または条件２が満たされているかを判定することにより分かる。図中、条件の丸印はその条件が満たされていることを示す。条件２中の括弧内は座標検知のない位置指示器を示す。図６の例では、表紙カバーが開いている条件（Ｐ ｏｐｅｎ）は、条件１の如何に関わらず、条件２が成り立っている、すなわち位置指示器Ｐの座標が検出されないときである。また、ページ１が開いている条件（Ｐ１ ｏｐｅｎ）は、
（Ｓ１（ｘ１，ｙ１）＞ｘｃ）  かつ
（Ｓ２（ｘ２，ｙ２）＞ｘｃ）  かつ
（Ｓ３（ｘ３，ｙ３）＞ｘｃ）
となる。Ｓ１について座標検知がない場合には、ページ１およびページ２が共に開いている、すなわち、ページめくりの途中にあることが分かる。
【００５９】
他のページについても同様である。
【００６０】
次に、本発明の実施例のソフトウエア構成図を図７を用いて説明する。図７において、ソフトウエアは、大別してオペレーテイングシステムＯＳと応用ソフトウエアＡＰで構成する。ここで、実線はデータフローを、点線は制御フローを示す。
【００６１】
まず、ＯＳから説明する。位置指示器Ｓ１〜Ｓ３の信号はページ位置検出処理で処理し（ＯＳ１０）、現在の座標位置から入力表示座標一致処理（ＯＳ２０）を行う。一方、どのページが開いてるかを判定し、そのページに対応するプログラムの復帰処理を行う（ＯＳ３０）。プログラム復帰は応用ソフトウエアＡＰのいずれかが復帰する。
【００６２】
次に、表紙カバーの開閉検出はカバー開閉検出処理（ＯＳ４０）により行われる。表紙を開いた（ｏｎした）ときは、そのアプリケーションを使用していたユーザ本人であることを確認するため、まず、認証処理を実施する（ＯＳ５０）。この認証処理はパスワード入力やＩＤ入力、あるいは、これに加えてまたは代えてサイン入力によって行う。もし、本人であることが、確認されれば、先程のプログラム復帰処理に行き、処理していたプログラムに復帰する（ＯＳ３０）。当然、本人でないことがわかれば、プログラム復帰処理には行かない。
【００６３】
一方、表紙カバーを閉じた（ｏｆｆした）ときは、現在処理していたプログラムを一旦、退避し、次の表紙カバー開け操作のために、その準備を行う（ＯＳ６０）。
【００６４】
座標入力装置ＴＢから入力された座標に対しては、座標入力処理により（ＯＳ７０）、座標変換を行い、手書き文字認識処理（ＯＳ８０））や手書き編集記号認識処理（ＯＳ９０）を実施する。これらの認識結果は応用ソフトウエアへ渡され、対応処理が行われる。なお、座標入力装置ＴＢの出力は同時にウインドウ処理にも出力し、マルチウインドウ処理が行われる（ＯＳ１００）。
【００６５】
画面制御用センサＳＲＬ１，ＳＲＬ２，ＰＧＣの信号処理は、信号検出と同時に処理し、対応処理を実施する（ＯＳ１１０）。即ち、センサＳＲＬ１，ＳＲＬ２を検出するとページ内の画面のスクロール処理を、センサＰＧＣを検出するとページめくり処理を実施する。したがって、この処理はウインドウ処理と密接な関係がある。なお、ウインドウ処理（ＯＳ１００）は、応用ソフトウエア（ＯＳ）やシート表示処理（ＯＳ１２０）を駆動し、マンマシンインタフィースをつかさどる。
【００６６】
さらに、２次元面センサＳＣの出力は、画像入力処理で２値画像に変換し、画像データファイルを作成したりする（ＯＳ１３０）。
【００６７】
次に、応用ソフトウエアとしては各種存在するが、オフイスで良く使用するものとして、メール処理（ＡＰ１０）、スケジュール処理（ＡＰ２０）、ワード処理（ＡＰ３０）、表計算処理（ＡＰ４０）、データベース処理（ＡＰ５０）がある。このほかの応用ソフトについては省略する。これらの応用ソフトウエアは各々タスクとなっており、同時に処理することができる。これらのタスクを本発明ではページに対応して処理させる。これにより、あるページを開くとそのページに割り当てられたタスクが起動し、退避していた状態に直接入ることができる。
【００６８】
ページに対しタスクを割り当てる以外に、１つのタスク（応用ソフトウエア）に複数ページ割り当てても良い。この場合、複数画面を利用できるため、さらに効率的作業ができる。
【００６９】
以上、本発明の実施例によれば、下記の効果がある。
【００７０】
複数枚の液晶デイスプレイシートへの座標入力を１つの座標入力装置で兼用しているため、液晶デイスプレイシートの厚さが薄くでき、これによりページめくりがノートのように簡単にできる。本体と液晶デイスプレイシートの各々にはコントローラを有しているため、性能向上、並びにインタフェースが簡単になる。
【００７１】
さらに、ページ位置の開閉検知や表紙カバーの開閉検知はコイルとコンデンサを利用した方法によっているため、電源や能動素子が不要で安価にシステムを構築できる。
【００７２】
また、折り畳みできる構造のため、ポータビリテイ性が向上する。
【００７３】
次に本発明の他の実施例を以下説明する。
【００７４】
図８は、本発明の他の実施例のブロック図である。図８では本体と液晶デイスプレイシート間のインタフィースとして液晶のビデオ信号で行う方法をとっている。この方法は本発明の先の実施例に比べ、インタフェースの信号線が多く、且つ転送速度が要求される欠点があるが、シートコントローラ（ＳＨＴＣ１）は不要となる。
【００７５】
図９に、さらに他の実施例を示す。この実施例では、液晶デイスプレイシートＳＨＴａ，ＳＨＴｂを個別に切り離し、座標入力装置ＴＢ上に自由に配置した場合のページ位置検出方法を説明したものである。この場合、特に、シートを自由に配置できるため、座標入力装置ＴＢとの回転検出用に２個の位置指示器Ｓａ１，Ｓａ２（Ｓｂ１，Ｓｂ２）が必要である。回転検出はＳａ１（ｘ１，ｙ１）とＳｂ１（ｘ２，ｙ２）またはＳｂ１（ｘ３，ｙ３）とＳｂ２（ｘ４，ｙ４）の座標から容易に計算できる。したがって、入力した座標は液晶デイスプレイシートの表示座標系に変換するとき、この傾きを考慮する必要がある。
【００７６】
更に、図９の場合の他の応用例として、会議机全体を座標入力装置および処理装置とし、液晶ディスプレイシートを会議参加者の資料として利用するものについて説明する。すなわち、会議参加者には同じ画面が表示されており、必要であれば各自自由に液晶ディスプレイシートにメモ書き、またはポインティングができる。このとき、誰が入力しているかを識別するため、カーソル形状やメモ書きの色を変化させるなどの工夫を行う。複数の座標入力を受け付けるため、各スタイラスペンの共振周波数を個別にしておく。このスタイラスペンは、予め会議参加者に配っておくか、その場で配布してもよい。従って、従来の会議のようにコピーを配布したり、ファイルを持参するなどが不要となり、ペーパレス電子会議を実現できる。
【００７７】
なお、この切り離し自由な方法は、複数のページが重なった場合どちらのページをアクセスしているかの判定が困難で、このため、予め決められた約束が必要となる。たとえば、若い座標値を有すページを常に上（もしくは下）として判断する方法、今まで入力を継続していたページを優先とする方法、さらに、ページが重なったらアクセス不可能とする方法が考えられる。
【００７８】
図９の例の場合、液晶デイスプレイシートは切り離し自由のため、通常の紙のように、紙挟みでつるしたりすることもできる。このとき、長時間表示を残しておく場合、電池容量を大きくしておくか、外部より電源を供給する方法をとる必要がある。
【００７９】
以上、本発明の好適な実施例について説明したが、種々の変形が可能である。例えば、上記一実施例のページ位置検出方法として図５に示すように、位置指示器Ｓ１〜Ｓ３の位置をｙ軸中心線より上の方に置いたが、これをｙ軸中心線より下の方に置いても良い。特に、ページめくり操作はシートの手前側で実施することが多いため、ページめくり途中の表示を行うときに便利である。これはページめくり途中のときページの座標検知がないため、図６に示すようにページは開いていると判断するためである。
【００８０】
本発明の一実施例では、ページ位置検出の方法として、コイルとコンデンサによる方法を取ったが、これ以外の方法として、特定の磁気マークを検出する方法、光センサによる方法が考えられる。いずれの方法でもページの開閉や座標位置が分かれば良い。
【００８１】
さらに、本発明の一実施例では、液晶デイスプレイシートとして、図３のように、両面表示としていたが、これを片面表示としても良い。この場合、表示情報量が少なくなるが、デイスプレイシートがさらに薄くなる効果がある。
【００８２】
本実施例によれば、座標入力装置を複数の平面デイスプレイで兼用することにより、情報処理装置の薄型化と低コスト化に貢献する。
【００８３】
また、各ページにはそのページにユニークな座標を検出することでどのページが開いているかどうかを検知でき、このページ位置検知手段とプログラム退避、復帰手段とを対応付けると、開いたと同時にそのページで動作していたプログラムが復帰でき、直ちに必要な業務に取り掛かれる。これにより、業務効率が向上する。
【００８４】
さらに表紙カバーの開閉を検知する開閉検知手段と情報処理装置の電源オンオフならびにプログラム退避、復帰手段とを連動させることにより、表紙カバーを開くと同時に情報処理装置の電源がオンし、さらに所定の処理プログラムの起動がされるようになる。このように操作が直感的となりマンマシン性が大幅に向上する。
【００８５】
デイスプレイのシートは２枚の液晶素子を張り合わせて両面表示可能とし、その間に不透明のカラーシートを挿入して１枚のデイスプレイシートとすることにより、お互いの表示による干渉をなくすと同時カラーシート（紙でもよい）を用いたことにより、色による処理プログラムの区別が可能で直感性が向上する。
【００８６】
さらに、ノート式情報処理装置自身に２次元面センサ式スキャナを搭載することにより、機械的な機構が存在しないため、紙情報を簡単に高速読取ができ、小型で持ち運びが可能となる。
【発明の効果】
本発明によれば、複数デイスプレイを用いた使い勝手のよいノート式情報処理装置が提供される。
【図面の簡単な説明】
【図１】本発明の一実施例のシステム構成と外観図である。
【図２】本発明の一実施例の折り畳み時の構造図である。
【図３】液晶デイスプレイシートの構造図である。
【図４】本発明の一実施例のブッロク構成図である。
【図５】表紙カバー開閉及びページ位置検出を説明する図である。
【図６】表紙カバーの開閉及びページ開閉判定条件を示す図である。
【図７】本発明の一実施例のソフトウエア構成図である。
【図８】本発明の他の実施例のブロック構成図である。
【図９】本発明のさらに他の実施例のページ位置検出を説明する図である。
【符号の説明】
ＳＶ１，ＳＶ２…サーバ、ＮＥＴ…ネットワーク、ＷＴ１，ＷＴ２…ワイヤレスターミナル、ＮＥＴ１，ＮＥＴ２…無線ネットワーク、ＷＫＮＴ１，ＷＫＮＴ２…ノート式情報処理装置、ＴＢ…座標入力装置、ＰＥＮ…スタイラスペン、ＳＨＴ１，ＳＨＴ２，ＳＨＴ３…液晶デイスプレイシート、ＬＣＤ１，ＬＣＤ２，ＬＣＤ３…液晶ディスプレイ、Ｐ…表紙カバー開閉検知用位置指示器、Ｓ１，Ｓ２，Ｓ３…ページ位置検出用位置指示器、ＳＲＬ１，ＳＲＬ２，ＰＧＣ…画面制御用センサ
【図１】
0003686427.tif 000002
【図２】
0003686427.tif 000003
【図３】
0003686427.tif 000004
【図４】
0003686427.tif 000005
【図５】
0003686427.tif 000006
【図６】
0003686427.tif 000007
【図７】
0003686427.tif 000008
【図８】
0003686427.tif 000009
【図９】
0003686427.tif 000010